(57)【要約】【課題】圃場への連続鉢苗の先頭のポットの固定を容易にするとともに、固定具の回収作業にかかる手間を削減することができる苗押止め機構、および、それを備えた連続鉢苗移植機並びに連続鉢苗移植機を用いた作物の生産方法を提供する。【解決手段】連続鉢苗移植機１は、苗押止め機構６０を備え、この苗押止め機構６０は、連結部材６０、苗押止め部材６２Ａおよび牽引部材６３を有する。連続鉢苗移植機１が移動することで、苗押止め部材６２Ａが引張られた方向に傾き、圃場差込部６８が圃場から抜けて、苗押止め部材６２Ａが連続鉢苗移植機１に追従する。そして、連続鉢苗の植付け終了後、牽引部材６３を手繰って、苗押止め部材６２Ａを回収する。これにより、苗押止め部材６２Ａを回収し易くなる。【選択図】図１
2019071827.tif 000002
【特許請求の範囲】
【請求項１】
進行方向後側の下面を接地面とした機台を有し、連続鉢苗を圃場に植付ける連続鉢苗移植機用の苗押止め機構であって、
前記苗押止め機構は、前記圃場に植付けられた鉢苗を固定するための苗押止め部材と、
該苗押止め部材と前記機台とを連結する牽引部材と、を備えていることを特徴とする苗押止め機構。
【請求項２】
前記機台には、前記牽引部材を連結するための連結部材が設けられていることを特徴とする請求項１に記載の苗押止め機構。
【請求項３】
前記苗押止め部材は、前記圃場に差し込む圃場差込部を備えていることを特徴とする請求項１又は２に記載の苗押止め機構。
【請求項４】
前記苗押止め部材は、前記圃場差込部の上方に設けられ、前記鉢苗を押止する押止部を備えていることを特徴とする請求項３に記載の苗押止め機構。
【請求項５】
前記押止部は、前記圃場差込部の上方から側方に延びる押止片であることを特徴とする請求項４に記載の苗押止め機構。
【請求項６】
前記苗押止め部材は、棒状部材であることを特徴とする請求項１乃至５のいずれか１項に記載の苗押止め機構。
【請求項７】
前記苗押止め部材は、前記圃場差込部の上方で屈曲していることを特徴とする請求項３乃至６のいずれか１項に記載の苗押止め機構。
【請求項８】
前記苗押止め部材と前記牽引部材との結合部と、前記押止片とは、反対側に位置することを特徴とする請求項５に記載の苗押止め機構。
【請求項９】
前記連結部材と前記牽引部材との結合部は、前記連続鉢苗を前記圃場に植付ける位置に対して、左右方向に重ならない位置に配置されていることを特徴とする請求項２乃至８のいずれか１項に記載の苗押止め機構。
【請求項１０】
前記連結部材は、前記機台から上方に向かって延びる鉛直部と、
前記鉛直部から左右方向に略水平に延びる水平部とを有していることを特徴とする請求項２乃至９のいずれか１項に記載の苗押止め機構。
【請求項１１】
進行方向後側の下面を接地面とした機台上に、連続鉢苗の搬送経路に沿って順次、前記連続鉢苗を載置する鉢苗載置部と、該鉢苗載置部から引き出された前記連続鉢苗を１列に整列させて案内する鉢苗案内部と、該鉢苗案内部から植付け面へ前記連続鉢苗を繰り出す鉢苗繰出部と、が設けられ、さらに、前記機台の接地面に、圃場に植付け溝を形成する溝切部が設けられる連続鉢苗移植機であって、
請求項１乃至１０のいずれか１項に記載の苗押止め機構を備えていることを特徴とする連続鉢苗移植機。
【請求項１２】
請求項１１に記載の連続鉢苗移植機にて苗を移植することを特徴とする作物の生産方法。
【発明の詳細な説明】
【技術分野】
【０００１】
本発明は、連続鉢苗を圃場に固定する苗押止め機構、および、それを備えた連続鉢苗移植機並びに連続鉢苗移植機を用いた作物の生産方法に関する。
【背景技術】
【０００２】
従来、進行方向後側の下面を接地面とした機台上に、順次、連続鉢苗を載置する鉢苗載置部と、該鉢苗載置部から引き出された連続鉢苗を１列に整列させて案内する鉢苗案内部と、該鉢苗案内部から植付け面に向けて連続鉢苗を繰り出す鉢苗繰出部と、を設けた連続鉢苗移植機が知られている。
【０００３】
一般に、このような連続鉢苗移植機を用いて、連続鉢苗の先頭のポットを圃場の植付け溝に植付けするとき、連続鉢苗移植機の移動に伴って、連続鉢苗の先頭のポットが移動しないように、または、位置ずれが生じないように、杭や割り箸等の固定具を連続鉢苗の先頭のポット内部から圃場に差し込んで、連続鉢苗の先頭のポットを固定している（例えば、特許文献１および２参照）。あるいは、他の作業者が連続鉢苗の先頭のポットを把持することで、連続鉢苗の先頭のポットが移動しないように、または、位置ずれが生じないようにしている。
【０００４】
さらに、苗継ぎする際、上述の固定方法や、ステープラまたは連結具（例えば、特許文献３参照）を用いて、植付けが完了した連続鉢苗の後尾のポットに、次に植付ける連続鉢苗の先頭のポットを連結さることで、次に植付ける連続鉢苗の先頭を移動させないように、または、位置ずれしないようにしている。
【０００５】
ところで、特許文献１および３に記載された連続鉢苗移植機では、割り箸、ステープラの針または連結具を複数用意する必要があり、コストがかかる。また、他の作業者が連続鉢苗の先頭のポットを把持する場合、低姿勢を維持する必要があり、身体に負担がかかる。さらに、特許文献２に記載された連続鉢苗移植機では、植付け完了後、杭を取除く必要があり、回収作業に手間がかかる。
【先行技術文献】
【特許文献】
【０００６】
【特許文献１】実開昭６３−０８９７１８号公報
【特許文献２】特許第２７１７６２６号公報
【特許文献３】特開２０１１−４１５３８号公報
【発明の概要】
【発明が解決しようとする課題】
【０００７】
そこで本発明は、上記事情に鑑みてなされたもので、圃場への連続鉢苗の先頭のポットの固定を容易にするとともに、固定具の回収作業にかかる手間を削減することができる苗押止め機構、および、それを備えた連続鉢苗移植機並びに連続鉢苗移植機を用いた作物の生産方法を提供することを目的とする。
【課題を解決するための手段】
【０００８】
上記課題を解決するために、本発明の苗押止め機構は、進行方向後側の下面を接地面とした機台を有し、連続鉢苗を圃場に植付ける連続鉢苗移植機用の苗押止め機構であって、
前記苗押止め機構は、前記機台に設けられた連結部材と、
前記連結部材と前記圃場に植付けられた鉢苗を固定するための苗押止め部材とを連結する牽引部材と、を備えていることを特徴とする。
【０００９】
本発明の連続鉢苗移植機は、進行方向後側の下面を接地面とした機台上に、連続鉢苗の搬送経路に沿って順次、前記連続鉢苗を載置する鉢苗載置部と、該鉢苗載置部から引き出された前記連続鉢苗を１列に整列させて案内する鉢苗案内部と、該鉢苗案内部から植付け面へ前記連続鉢苗を繰り出す鉢苗繰出部と、が設けられ、さらに、前記機台の接地面に、圃場に植付け溝を形成する溝切部が設けられる連続鉢苗移植機であって、前記機台に設けられた連結部材と、前記連結部材と前記圃場に植付けられた鉢苗を固定するための苗押止め部材とを連結する牽引部材と、を備えていることを特徴とする。
【００１０】
また、本発明の作物の生産方法は、本発明の連続鉢苗移植機を用いて苗を移植することを特徴とする。
【発明の効果】
【００１１】
本発明によれば、圃場への連続鉢苗の先頭のポットの固定を容易にするとともに、固定具の回収作業にかかる手間を削減することができる苗押止め機構、および、それを備えた連続鉢苗移植機並びに連続鉢苗移植機を用いた作物の生産方法を提供することができる。
【図面の簡単な説明】
【００１２】
【図１】本発明の一実施形態に係る連続鉢苗移植機の平面図である。
【図２】図１の連続鉢苗移植機の左側面図である。
【図３】図１の連続鉢苗移植機における鉢苗繰出部および連結部材を拡大して示す図である。
【図４】図１の連続鉢苗移植機における鉢苗案内部、鉢苗繰出部、連結部材、苗押止め部材および牽引部材を拡大して示す図である。
【図５】図１に示す連続鉢苗移植機の連結部材、苗押止め部材および牽引部材を示す概略図である。
【図６】図４におけるＡ−Ａ矢視図である。
【図７】図４におけるＢ−Ｂ矢視図である。
【図８】本実施形態の説明図であり、移植作業時の連続鉢苗移植機の平面図である。
【図９】本実施形態の説明図であり、移植作業時の連続鉢苗移植機の図４におけるＡ−Ａ矢視図である。
【図１０】本実施形態の説明図であり、苗押止め部材を連続鉢苗の先頭のポットに当接させた状態を拡大して示す図である。
【図１１】図５に示す連結部材の水平部が連続鉢苗移植機の進行方向の後側に４５度の角度をなすように、連結部材を鉢苗繰出部に設けた状態を拡大して示す図である。
【図１２】苗押止め部材の変形例１の説明図である。
【図１３】苗押止め部材の変形例２の説明図である。
【図１４】苗押止め部材の変形例３の説明図である。
【発明を実施するための形態】
【００１３】
本発明の一実施形態を添付した図を参照して説明する。
以下の説明おいて、便宜上、図１および図２における右方向（右側）を前方向（前側）と定義するとともに左方向（左側）を後方向（後側）と定義する。さらに、図１における下方向（下側）を左方向（左側）と定義するとともに上方向（上側）を右方向（右側）と定義する。なお、必要に応じて、図１、図２、図８および図９における右方向を連続鉢苗移植機１の進行方向という。また、図１１における上方向（上側）を前方向（前側）と定義するととともに、下方向（下側）を後方向（後側）と定義する。
【００１４】
図１および図２に示されるように、連続鉢苗移植機１は、後側の下面を接地面とする機台２を有する。機台２上には、前側から順に、鉢苗載置部３、鉢苗案内部４、鉢苗繰出部５が設けられる。また、連続鉢苗移植機１は、機台２に設けられた苗押止め機構６０を備える。この苗押止め機構６０は、連結部材６１、苗押止め部材６２Ａおよび牽引部材６３を有する。鉢苗案内部４は、上面に連続鉢苗４１の滑動面が形成される底板６と、底板６上に設けられて左右対称に形成される一対の案内板７および７と、を有する。
以下、明細書の記載を簡潔にするため、同一の符号が付与された相対関係にある構成要素の重複する符号を省略し、例えば、「一対の案内板７および７」を「一対の案内板７」と記載する。一対の案内板７は、両案内板７間を通過する連続鉢苗４１を起立させる姿勢矯正部８と、起立させた連続鉢苗４１を整列させて鉢苗繰出部５へ向けて案内する案内部９と、を有する。
【００１５】
図３に示されるように、鉢苗繰出部５は、底板１０を切欠いて形成した前後方向へ延びる切欠き部１１を有する。また、鉢苗繰出部５は、後述する連結部材６１が設けられている。底板１０には、左右対称に形成される一対の誘導板１２が設けられる。一対の誘導板１２は、底板１０に固定される取付片１３と、切欠き部１１に沿うようにして延びる垂直片１４と、垂直片１４の上部と屈曲辺１５を介して連続するとともに垂直片１４に対して外側へ傾倒される傾倒片１６と、垂直片１４の上部と屈曲辺１７を介して連続するとともに垂直片１４に対して外側へ傾倒される傾倒片１８と、を有する。なお、垂直片１４の上部とは、垂直片１４における底板１０に対して上側の部分である。また、垂直片１４の下部とは、垂直片１４における底板１０に対して下側の部分である。
【００１６】
図３に示されるように、取付片１３は、前後方向へ間隔をあけて配置されて左右方向へ長く形成される一対の長穴１９を有し、一対の長穴１９に挿通される一対のボルト（図示省略）によって底板１０に固定される。
【００１７】
図２および図４に示されるように、連続鉢苗移植機１は、機台２の下部に設けられて圃場４２の土を左右方向両側へ掻き分けて圃場４２に植付け溝４３（図６および図９参照）を形成する溝切部２０（枠部材）を有する。溝切部２０は、先端が鋭角に閉じられる、換言すると、水平面による断面がＶ形（楔形）に形成される前端部２１と、前端部２１の左右両端部から切欠き部１１に沿うようにして後方へ延びる一対の側片２２と、各側片２２に連続して形成される一対の取付片２３（図３参照）と、を有する。取付片２３は、前後方向へ間隔をあけて配置される取付穴２４および２５を有し、各取付穴２４および２５に挿通されるボルト（図示省略）によって鉢苗繰出部５の底板１０に固定される。
【００１８】
取付片２３の取付穴２５は、左右方向へ長く形成された長穴である。したがって、取付片２３は、取付穴２５とボルトとが相対移動できる範囲内で、後端部を底板１０に対して左右方向へ移動させることが可能である。これにより、溝切部２０の一対の側片２２間の間隔を、一対の誘導板１２の対向する垂直片１４間の間隔に合わせて調節することにより、図３に示されるように、誘導板１２の垂直片１４の後端部と溝切部２０の側片２２の後端部との間の隙間を閉塞させることが可能であり、誘導板１２の垂直片１４の後端部と溝切部２０の側片２２の後端部との間の隙間に圃場４２の土が入り込むことを防止することができる。
【００１９】
図４に示されるように、連続鉢苗移植機１は、鉢苗案内部４の底板６に設けられる複数個（本実施形態では３個）の穴２６を有する。穴２６は、連続鉢苗４１の搬送経路、すなわち、一対の案内板７によって案内される連続鉢苗４１が通過する道筋（案内路）に沿うようにして一列にかつ一定の間隔をあけて配置され、各々が、溝切部２０の一対の側片２２間の間隔よりも小さい一定の直径を有する円形に形成される（図７参照）。３個の穴２６のうち前側の穴２６は、一対の案内板７の対向する姿勢矯正部８間に配置される。そして、溝切部２０の前端部２１は、前側の穴２６に臨むように配置、換言すると、前側の穴２６を囲うように配置される。
【００２０】
一方、３個の穴２６のうち後側の穴２６は、一対の案内板７の案内部９間に配置される。また、前側の穴２６と後側の穴２６との中間に位置する穴２６は、案内板７の姿勢矯正部８と案内部９との境界部、すなわち、案内部９の入口に配置される。
【００２１】
図１および図２に示されるように、機台２の後端部には、植付け溝４３へ繰り出された連続鉢苗４１に周辺の土を掻き寄せる一対の培土板３１と、培土板３１によって掻き寄せられた土を鎮圧する一対の鎮圧ローラ３２と、が設けられる。また、機台２の前端部には、ハンドル３４を備えたスタンド３５が設けられ、スタンド３５の下端部には、圃場４２を滑走可能な車輪３６が左右方向に一対で設けられる。なお、図１および図２における符号３７は、鉢苗案内部４の裏側のフレームに固定される補助ハンドルである。さらに、図２における符号３３は、機台２の後部の圃場４２に対する浮き上がりを防止するチゼルである。
【００２２】
図５に示されるように、苗押止め機構６０の連結部材６１は、鉛直部６４と、傾斜部６５と、水平部６６と、から構成されている。また、連結部材６１は、鉛直部６４の下部に、略Ｌ字形をなした取付治具７４を有している。鉛直部６４は、鉢苗繰出部５の後側の側部に取付けられ、鉢苗繰出部５から上方に向かって延びている。また、鉛直部６４は、取付治具７４に回動可能に取付けられている。傾斜部６５は、この鉛直部６４から左右方向外側へ斜め上方に向かって延びている。水平部６６は、鉛直部６４に対して左右方向外側に略水平に延びている。なお、水平部６６は、連続鉢苗移植機１の進行方向の後側に約３０度〜約６０度の角度をなすように配置するとよい（図１１では、４５度）。取付治具７４は、図３及び図１１に示すように、略Ｌ字形をなし、各辺７４ａ，７４ｂにボルト等の締結具７６，７６を挿通する複数の挿通孔７５，７５が形成されている。ここで、連結部材６１を鉢苗繰出部５の左右方向の右側（図１１の実線参照）に設ける場合、取付治具７４の一方の辺７４ａを鉢苗繰出部５の側壁（右側）に当接させ、締結具７６，７６によって、取付治具７４を鉢苗繰出部５の左右方向の右側に固定する。また、連結部材６１を鉢苗繰出部５の左右方向の左側（図１１の二点鎖線参照）に設ける場合、取付治具７４の他方の辺７４ｂを鉢苗繰出部５の側壁（左側）に当接させて、締結具７６，７６によって、取付治具７４を鉢苗繰出部５の左右方向の左側に固定する。
【００２３】
ここで、連結部材６１を鉢苗繰出部５の左右方向の右側から左側に設けるとき、締結具７６，７６を取外し、取付治具７４を時計回りに９０度回転させることで、水平部６６を連続鉢苗移植機１の進行方向の後側に配置することができる（図１１では、４５度）。また、連結部材６１を鉢苗繰出部５の左右方向の左側から右側に設けるとき、締結具７６，７６を取外し、取付治具７４を反時計回りに９０度回転させることで、水平部６６を連続鉢苗移植機１の進行方向の後側に配置することができる（図１１では、４５度）。なお、水平部６６を連続鉢苗移植機１の進行方向の後側に３０度，６０度または９０度等のなす角度で配置する場合、作業者が適宜鉛直部６４を回動させて、水平部６６の角度を任意に変更することで、水平部６６を連続鉢苗移植機１の進行方向の後側に３０度，６０度または９０度等のなす角度で配置することができる。
【００２４】
図５に示されるように、苗押止め機構６０の牽引部材６３は、ワイヤ等の紐状の部材であり、その一端部が水平部６６の結合部６７に着脱可能に結合されている。結合部６７は、水平部６６に所定の間隔を置いて複数（図５では、３つ）設けられており、牽引部材６３を選択的に結合することができる。牽引部材６３としては、例えば、ロープ、チェーン等の紐状部材を用いることができる。
【００２５】
図５に示されるように、苗押止め機構６０の苗押止め部材６２Ａは、棒状部材であり、一端側の圃場差込部６８と、押止部６９と、牽引部材６３の他端部を着脱可能に取付ける他端側の結合部７０と、が形成されている。この苗押止め部材６２Ａは、圃場差込部６８の上方で屈曲しており、圃場差込部６８に対して、結合部７０がオフセットされるようになっている。押止部６９は、圃場差込部６８の上方に設けられ、圃場差込部６８から略垂直に延びる辺を有する略三角形状の押止片である。結合部７０と、押止部６９とは、水平面上で反対側に位置している、すなわち、圃場差込部６８の軸方向を基準にして、反対側に位置している。
【００２６】
次に、前述した連続鉢苗移植機１を用いた作物の生産方法を説明する。
まず、鉢苗載置部３に育苗箱４４（図８参照）をセットする。そして、苗押止め部材６２Ａの圃場差込部６８を連続鉢苗４１の先頭のポット内に差込み、育苗箱４４から連続鉢苗４１の先頭のポット４５を引き出す。そして、育苗箱４４から引き出した連続鉢苗４１を、図８および図９に示されるように、鉢苗案内部４の一対の一対の案内板７間、ならびに鉢苗繰出部５の一対の誘導板１２間を通過させ、その連続鉢苗４１の先頭のポット４５を、予め圃場４２に形成された植付け溝４３内に植付ける。
【００２７】
次に、図９に示されるように、苗押止め機構６０の苗押止め部材６２Ａを圃場４２に差し込んで、先頭のポット４５を固定する。このとき、図１０に示すように、圃場差込部６８を植付け溝４３内に植付けられた先頭のポット４５の外縁の左右方向外側の圃場４２に差し込み（図１０参照）、押止部６９（押止片）を先頭のポット４５の上面に当接させて、先頭のポット４５を固定する。この状態では、苗押止め部材６２Ａの結合部７０は、連続鉢苗移植機１の機台２の左右方向外側（押止部６９の反対側）に向いている。
【００２８】
次に、ハンドル３４を引くことにより、連続鉢苗移植機１を図８および図９における右方向へ移動させる。連続鉢苗移植機１の移動に伴い、圃場４２には、溝切部２０によって植付け溝４３が形成される。同時に、連続鉢苗４１が鉢苗載置部３上の育苗箱４４から順次引き出され、鉢苗案内部４の一対の案内板７の姿勢矯正部８間、案内部９間、および鉢苗繰出部５の一対の誘導板１２の垂直片１４間、を通過して、整列された状態で、切欠き部１１から植付け溝４３へ繰り出される。そして、切欠き部１１から繰り出された連続鉢苗４１は、機台２の後端部まで延びる一対の誘導板１２の垂直片１４の支持によって植付け姿勢が保持された状態で、一対の培土板３１によって掻き寄せられた周囲の土が一対の鎮圧ローラ３２によって鎮圧されることにより、圃場４２に固定される。
【００２９】
ここで、連続鉢苗移植機１が移動することで、牽引部材６３も図８および図９における右方向へ引張られる。そして、連続鉢苗移植機１の移動距離が所定の距離に達すると、牽引部材６３により、その他端部に結合された苗押止め部材６２Ａが連続鉢苗移植機１の進行方向（図８および図９における右方向）へ引張られる。このとき、結合部７０が圃場差込部６８から左右方向にオフセットされているので、圃場差込部６８を中心としてモーメントが生じて、苗押止め部材６２Ａが回動する。この回動に伴って、押止部６９も回動して、連続鉢苗４１の先頭のポット４５の上面との当接が解除される。
【００３０】
そして、連続鉢苗移植機１がさらに移動することで、苗押止め部材６２Ａが引張られた方向に傾き、圃場差込部６８が圃場４２から抜けて、苗押止め部材６２Ａが連続鉢苗移植機１に追従する。このとき、連結部材６１と牽引部材６３との結合部６７が溝切部２０に対して、左右方向に重ならない（オフセットされた）位置に配置されているため、苗押止め部材６２Ａが植付けられた鉢苗に接触することがない。
そして、連続鉢苗４１の植付け終了後、牽引部材６３を手繰って、苗押止め部材６２Ａを回収する。
【００３１】
この一実施形態では以下の効果を奏する。
一実施形態によれば、連続鉢苗移植機１の鉢苗繰出部５に設けらた連結部材６１と、圃場４２に植付けられた鉢苗（連続鉢苗４１の先頭のポット４５）を固定する苗押止め部材６２Ａとを、牽引部材６３を用いて、連結することで、連続鉢苗移植機１の移動に伴って、苗押止め部材６２Ａが連続鉢苗移植機１に追従することができるので、回収作業が容易になる。
【００３２】
また、一実施形態では、苗押止め部材６２Ａの圃場差込部６８を植付け溝４３内に植付けた連続鉢苗４１の先頭のポット４５の外縁の左右方向外側の圃場４２に差し込んでいるため、圃場差込部６８が圃場４２から抜けても、先頭のポット４５の位置ずれを防ぐことができる。
【００３３】
さらに、一実施形態では、苗押止め部材６２Ａの押止部６９によって、連続鉢苗４１の先頭のポット４５が固定されるので、作業者が連続鉢苗４１の先頭のポット４５を把持する必要がなくなくなり、作業者が単独で効率的に作業を行うことができる。
【００３４】
また、一実施形態では、連結部材６１と牽引部材６３との結合部６７が溝切部２０に対して、左右方向に重ならない（オフセットされた）位置に配置されているので、連続鉢苗移植機１の移動に伴って、苗押止め部材６２Ａが追従しても、苗押止め部材６２Ａが植付けらえた鉢苗との接触を回避することができる。さらに、結合部６７は、３カ所設けられているため、連続鉢苗４１を植付ける植付け溝４３に隣接する畝の間隔に応じて、結合部６７の位置のオフセット量を調整することができる。
【００３５】
また、一実施形態では、苗押止め機構６０の連結部材６１の水平部６６は、連続鉢苗移植機１の進行方向の後側に約３０度〜約６０度の角度をなすように配置することで、牽引部材６３が連結部材６１の内側に配置されても、水平部６６の上面からすり抜けて、連結部材６１に絡まなくすることができる。さらに、一実施形態では、連結部材６１は、傾斜部６５を設けることで、牽引部材６３が連結部材６１の内側に配置されても、牽引部材６３が傾斜部６５の斜面に沿って、水平部６６に導かれるため、牽引部材６３を連結部材６１の内側からよりすり抜けやすくすることができる。
【００３６】
なお、連続鉢苗移植機１の苗押止め部材６２Ａは、前述した構成に限定されるものではなく、例えば、次の変形例１〜３のように構成することができる。以下の説明において、前述した実施形態と同一あるいは相当の構成要素については、同一の名称および符号を付与する。
【００３７】
（変形例１）
前述した一実施形態に係る連続鉢苗移植機１の苗押止め部材６２Ａは、圃場差込部６８の上方が屈曲している（図５参照）。また、押止部６９（押止片）は、圃場差込部６８の上方から側方に延びる略三角形状をなしている。これに対して、図１２に示される変形例１では、苗押止め部材６２Ｂは、屈曲しない棒状部材であり、押止部７９として、圃場差込部６８の上方に、圃場差込部６８と直交して両側に突出する軸部が形成されている。また、圃場差込部６８の上方には、上方に延びて、上端部に結合部７０が形成された板状部材８０が取り付けられている。
【００３８】
次に、変形例１における連続鉢苗移植機１を用いた作物の生産方法を説明する。
まず、連続鉢苗４１の先頭のポット４５およびこれに連結された次のポット４６を、予め圃場４２に形成された植付け溝４３内に植付け、これらのポット４５，４６間の連結部４７（図８参照）の左右方向の側部から圃場差込部６８を圃場４２に差し込む。そして、苗押止め部材６２Ｂの押止部６９を先頭のポット４５およびこれと連結されたポット４６の上面に当接させて、これらのポット４５，４６を固定する。
その後、連続鉢苗移植機１が所定の距離だけ移動すると、牽引部材６３により、苗押止め部材６２Ｂが引張られ、苗押止め部材６２Ｂが引張られた方向に傾きつつ、圃場差込部６８が圃場４２から抜ける。これにより、押止部６９は、先頭のポット４５およびこれと連結されたポット４６の上面の当接が解除される。そして、連続鉢苗移植機１の移動に伴って、牽引部材６３によって、苗押止め部材６２Ｂが連続鉢苗移植機１に追従する。
そして、連続鉢苗４１の植付け終了後、牽引部材６３を手繰って、苗押止め部材６２Ｂを回収する。
【００３９】
（変形例２）
また、図１３に示される変形例２では、苗押止め部材６２Ｃは、圃場差込部６８の上方が屈曲しない棒状部材である（一部のみ図示する）。また、押止部８９は、２カ所または３カ所の先端部８３を有する略Ｌ字状または略Ｔ字状（図示では、略Ｔ字状）の部材であり、先端の１つが圃場差込部６８の上方に回動可能に取付けられている。この先端部８３Ａに対して、直交に延びる先端部８３Ｂに鉢苗のポットに掛止する掛止片８４が設けられている。苗押止め部材６２Ｃには、牽引部材６３の他端部に取付けられたリング部材８５が上方から外嵌（遊嵌）され、このリング部材８５は、連結部材８６を介して、押止部８９の先端部８３Ａ，８３Ｂ間の角部に連結されている。
【００４０】
次に、前述した変形例２における連続鉢苗移植機１を用いた作物の生産方法を説明する。
まず、連続鉢苗４１の先頭のポット４５を、予め圃場４２に形成された植付け溝４３内に植付け、苗押止め部材６２Ｃの圃場差込部６８を連続鉢苗４１の先頭のポット４５の外縁の左右方向の外側の圃場４２に差し込む。そして、押止部８９を回動させて、掛止片８４を先頭のポット４５の上部に差し込み、苗押止め部材６２Ｃと掛止片８４とによって、先頭のポット４５を挟んで、先頭のポット４５を圃場４２に固定する。
その後、連続鉢苗移植機１が所定距離だけ移動すると、牽引部材６３により、リング部材８５が引張られ、リング部材８５が苗押止め部材６２Ｃの軸方向上方に移動しながら、連結部材８６を介して、押止部８９を引張って回動させる。これにより、掛止片８４は、先頭のポット４５の押えが解除される。そして、連続鉢苗移植機１の移動に伴って、牽引部材６３によって、苗押止め部材６２Ｃが引き抜かれ、連続鉢苗移植機１に追従する。
そして、連続鉢苗４１の植付け終了後、牽引部材６３を手繰って、苗押止め部材６２Ｃを回収する。
【００４１】
（変形例３）
また、図１４に示される変形例３では、苗押止め部材６２Ｄは、圃場差込部６８の上方が屈曲しない棒状部材である（一部のみ図示する）。また、押止部９９は、略アーチ形状をなし、内側湾曲面９３が圃場４２に対向するように、その一端が圃場差込部６８の上方に固定されている。また、押止部９９は、その内径が、鉢苗繰出部５の一方のフレームを跨ぐことが可能な寸法、すなわち、鉢苗繰出部５の外面から切欠き部１１までの寸法で形成されている。
【００４２】
次に、前述した変形例３における連続鉢苗移植機１を用いた作物の生産方法を説明する。
まず、連続鉢苗４１の先頭のポット４５を、予め圃場４２に形成された植付け溝４３内に植付け、圃場差込部６８を鉢苗繰出部５の左右方向外側から圃場４２に差し込む。そして、苗押止め部材６２Ｄの略アーチ形状の押止部９９は、鉢苗繰出部５を跨いで、押止部９９の他端を先頭のポット４５の上面に当接させて、このポット４５を固定する。
その後、連続鉢苗移植機１が所定の距離だけ移動すると、牽引部材６３により、苗押止め部材６２Ｄが引張られ、苗押止め部材６２Ｄが引張られた方向に傾きつつ、圃場差込部６８が圃場４２から抜ける。これにより、押止部６９は、先頭のポット４５の上面の当接が解除される。そして、連続鉢苗移植機１の移動に伴って、牽引部材６３によって、苗押止め部材６２Ｄが連続鉢苗移植機１に追従する。
そして、連続鉢苗４１の植付け終了後、牽引部材６３を手繰って、苗押止め部材６２Ｄを回収する。
【００４３】
なお、一実施形態および変形例１〜３に係る連続鉢苗移植機１において、苗押止め部材６２Ａ〜６２Ｄの圃場差込部６８を圃場４２に差し込んでいるが、連続鉢苗４１のポットの上面に載置するおもりであってもよい。
【００４４】
また、一実施形態および変形例１〜３に係る連続鉢苗移植機１において、連結部材６１は、機台２に設けられている、具体的には、締結具７６，７６を用いて、鉢苗繰出部５に取付けているが、鉢苗繰出部５に一体に設けてもよい。さらに、連結部材６１は、鉢苗繰出部５に設けているが、機台２上に設けられた鉢苗案内部４または鉢苗載置部３、または、ハンドル３４、補助ハンドル３７に設けてもよい。なお、本説明において、「連結部材６１が機台２に設けられている」は、一体に設けられている、または、別体に設けられていることを含む意味である。
【００４５】
更に、一実施形態および変形例１〜３に係る連続鉢苗移植機１において、牽引部材６３は、連結部材６１を介して、機台２（鉢苗繰出部５）に連結されているが、機台２（鉢苗繰出部５）に直接連結されていてもよい。また、牽引部材６３は、機台２上に設けられた鉢苗案内部４または鉢苗載置部３、または、ハンドル３４、補助ハンドル３７に直接連結されていてもよい。
【００４６】
また、一実施形態および変形例１〜３に係る連続鉢苗移植機１において、牽引部材６３は、ワイヤー、ロープ、チェーン等の紐状部材であるが、柔軟性を有する細長い棒状部材であってもよい。
【００４７】
また、一実施形態および変形例１〜３に係る連続鉢苗移植機１において、連続鉢苗移植機１は、牽引部材６３を巻き取る機構を設けてもよい。これにより、牽引部材６３が巻き取られることで、牽引部材６３により、苗押止め部材６２Ａ〜６２Ｄが引張られ、苗押止め部材６２Ａ〜６２Ｄが引張られた方向に傾きつつ、圃場差込部６８が圃場４２から抜けて、苗押止め部材６２Ａ〜６２Ｄが連続鉢苗移植機１に追従することができる。
【符号の説明】
【００４８】
１  連続鉢苗移植機、２  機台、３  鉢苗載置部、４  鉢苗案内部、５  鉢苗繰出部、６  底板、２０  溝切部（枠部材）、２６  穴、４１  連続鉢苗、４２  圃場、４３  植付け溝、６１  連結部材、６２Ａ〜６２Ｄ  苗押止め部材、６３  牽引部材
【図１】
2019071827.tif 000003
【図２】
2019071827.tif 000004
【図３】
2019071827.tif 000005
【図４】
2019071827.tif 000006
【図５】
2019071827.tif 000007
【図６】
2019071827.tif 000008
【図７】
2019071827.tif 000009
【図８】
2019071827.tif 000010
【図９】
2019071827.tif 000011
【図１０】
2019071827.tif 000012
【図１１】
2019071827.tif 000013
【図１２】
2019071827.tif 000014
【図１３】
2019071827.tif 000015
【図１４】
2019071827.tif 000016